(57)【要約】【課題】従来の仕組みを大きく変更することなく高解像度の映像を伝送すること。【解決手段】送信側では、入力された高解像度の映像の各フレームをネットワークを通じて伝送が可能な解像度のサブフレームに分割する。そして、これらのサブフレームを直列化して受信側に送信する。送信される各サブフレームは十分に低解像度になっているため、従来の仕組みを使って伝送することができる。受信側では、受信したサブフレームを合成して分割前のフレームを再現し、分割前と同じ高解像度の映像を接続された映像機器に対して出力する。【選択図】        図１
2006115001.tif 000002
【特許請求の範囲】
【請求項１】
映像機器から入力された映像をネットワークで接続された対向機器へフレーム毎に送信する映像送信装置であって、
映像機器から入力された映像を構成する各フレームを２以上のフレームに分割するフレーム分割手段と、
前記フレーム分割手段により分割された各分割後フレームを直列化するフレーム整列手段と、
前記フレーム整列手段により直列化された分割後フレームを対向機器へ送信する映像送信手段と
を備えたことを特徴とする映像送信装置。
【請求項２】
前記フレーム分割手段は、映像機器から入力された映像を構成する各フレームを前記映像送信手段が送信可能な解像度からなる任意の数のフレームに分割することを特徴とする請求項１に記載の映像送信装置。
【請求項３】
前記フレーム分割手段により分割された各分割後フレームをフレーム内圧縮するフレーム圧縮手段をさらに備えたことを特徴とする請求項１または２に記載の映像送信装置。
【請求項４】
前記フレーム整列手段は、分割後フレームを直列化するときに、分割前フレームにおける当該サブフレームの位置を識別する識別情報を分割後フレームに付加することを特徴とする請求項１、２または３に記載の映像送信装置。
【請求項５】
ネットワークで接続された対向機器により分割されたフレームを受信し、映像機器へ映像を出力する映像受信装置であって、
前記対向機器から送信されたフレームを受信する映像受信手段と、
前記映像受信手段が受信した分裂後フレームの配置を直列化した状態から合成が可能な状態に整列するフレーム整列手段と、
前記フレーム整列手段により整列された各分割後フレームを合成し、分割前のフレームを再現するフレーム合成手段と
を備えたことを特徴とする映像受信装置。
【発明の詳細な説明】
【技術分野】
【０００１】
この発明は、ネットワークを通じて映像を伝送する映像送信装置および映像受信装置に関し、特に従来の伝送の仕組みを大きく変更することなく高解像度の映像の伝送を可能にする映像送信装置および映像受信装置に関するものである。
【背景技術】
【０００２】
近年、ネットワークの広帯域化や映像圧縮技術の発達を背景として、ネットワークを通じて映像を伝送することが一般化している。例えば、テレビ会議システムや映像コンテンツの配信サービスなどの形で、ネットワークを通じた映像の伝送は、広く利用されている。
【０００３】
映像をネットワークを通じて伝送するに際しては、映像伝送装置と呼ばれる専用装置が利用されることが多い。この装置は、ネットワークの両端に設置され、送信側で入力された映像を、受信側の映像伝送装置に接続されたテレビ受像機等にリアルタイムに伝送するために使用される。
【０００４】
映像伝送装置は、従来のテレビ放送と同等の解像度の映像を伝送することを前提に設計されており、これによって、現在一般に普及しているテレビ受像機、映像記録再生装置等の映像関連機器との接続性を確保している。例えば、非特許文献１のカタログに掲載された映像伝送装置は、最大で水平方向７２０ドット垂直方向４８０ドットの映像を伝送する仕様となっている。
【０００５】
【非特許文献１】富士通株式会社  「ブロードバンド映像ソリューション  Ｂｒｏａｄｓｉｇｈｔ」（ＥＩ０１９８−２−２００４年６月Ｃ）
【発明の開示】
【発明が解決しようとする課題】
【０００６】
ところで、映像関連機器全体をみると、現在、高解像度化が進みつつある。例えば、高品位テレビ対応のビデオカメラは、従来のビデオカメラと比較して約２倍の水平解像度を持っている。しかしながら、このようなビデオカメラで撮影した高解像度の映像は、従来の映像伝送装置からみると規格外であるため、ネットワークを通じて伝送することができないという問題がある。
【０００７】
映像を変換し、解像度を従来のテレビ放送程度に下げて伝送することも可能であるが、それでは高解像度のカメラで撮影した利点が失われてしまう。高解像度の映像に対応した映像伝送装置を新規に開発することも可能であるが、ネットワークの帯域の問題から映像を大幅に圧縮／伸長することが必要となり、従来のリアルタイム性を維持しようとすると非常に高価な装置になってしまう。
【０００８】
この発明は、上述した従来技術による問題点を解消するためになされたものであり、従来の仕組みを大きく変更することなく高解像度の映像を伝送することを可能にする映像送信装置および映像受信装置を提供することを目的とする。
【課題を解決するための手段】
【０００９】
上述した課題を解決し、目的を達成するため、本発明は、映像機器から入力された映像をネットワークで接続された対向機器へフレーム毎に送信する映像送信装置であって、映像機器から入力された映像を構成する各フレームを２以上のフレームに分割するフレーム分割手段と、前記フレーム分割手段により分割された各分割後フレームを直列化するフレーム整列手段と、前記フレーム整列手段により直列化された分割後フレームを対向機器へ送信する映像送信手段とを備えたことを特徴とする。
【００１０】
この発明によれば、入力された映像のフレームを複数に分割し、分割したフレームを対向機器に送信するように映像送信装置を構成したので、入力された映像の品質を下げることなく、ネットワーク上に送出されるフレームの解像度を下げることができる。
【００１１】
また、本発明は、上記の発明において、前記フレーム分割手段は、映像機器から入力された映像を構成する各フレームを前記映像送信手段が送信可能な解像度からなる任意の数のフレームに分割することを特徴とする。
【００１２】
この発明によれば、ネットワークへの送信処理部が対応している解像度以下にフレームを分割するように映像送信装置を構成したので、既存の送信処理部の仕組みを大きく変更することなく高解像度の映像の伝送に対応することができる。
【００１３】
また、本発明は、上記の発明において、前記フレーム分割手段により分割された各分割後フレームをフレーム内圧縮するフレーム圧縮手段をさらに備えたことを特徴とする。
【００１４】
この発明によれば、分割された各フレームをフレーム内圧縮して伝送するように映像送信装置を構成したので、映像の伝送に必要なネットワークの帯域を狭くすることができる。
【００１５】
また、本発明は、上記の発明において、前記フレーム整列手段は、分割後フレームを直列化するときに、分割前フレームにおける当該サブフレームの位置を識別する識別情報を分割後フレームに付加することを特徴とする。
【００１６】
この発明によれば、分割された各フレームに分割前のフレームでの位置を示す情報を付加するように映像送信装置を構成したので、映像受信装置においてフレームの合成を確実に間違いなくおこなうことができる。
【００１７】
また、本発明は、ネットワークで接続された対向機器により分割されたフレームを受信し、映像機器へ映像を出力する映像受信装置であって、前記対向機器から送信されたフレームを受信する映像受信手段と、前記映像受信手段が受信した分裂後フレームの配置を直列化した状態から合成が可能な状態に整列するフレーム整列手段と、前記フレーム整列手段により整列された各分割後フレームを合成し、分割前のフレームを再現するフレーム合成手段とを備えたことを特徴とする。
【００１８】
この発明によれば、分割された状態のフレームを受信し、これらを合成して分割前の映像を再現して出力するように映像受信装置を構成したので、出力する映像の品質を下げることなく、ネットワークから受信するフレームの解像度を下げることができる。
【発明の効果】
【００１９】
本発明によれば、入力された映像のフレームを複数に分割し、分割したフレームを対向機器に送信するように映像送信装置を構成したので、入力された映像の品質を下げることなく、ネットワーク上に送出されるフレームの解像度を下げることができるという効果を奏する。
【００２０】
また、本発明によれば、ネットワークへの送信処理部が対応している解像度以下にフレームを分割するように映像送信装置を構成したので、既存の送信処理部の仕組みを大きく変更することなく高解像度の映像の伝送に対応することができるという効果を奏する。
【００２１】
また、本発明によれば、分割された各フレームをフレーム内圧縮して伝送するように映像送信装置を構成したので、映像の伝送に必要なネットワークの帯域を狭くすることができるという効果を奏する。
【００２２】
また、本発明によれば、分割された各フレームに分割前のフレームでの位置を示す情報を付加するように映像送信装置を構成したので、映像受信装置においてフレームの合成を確実に間違いなくおこなうことができるという効果を奏する。
【００２３】
また、本発明によれば、分割された状態のフレームを受信し、これらを合成して分割前の映像を再現して出力するように映像受信装置を構成したので、出力する映像の品質を下げることなく、ネットワークから受信するフレームの解像度を下げることができるという効果を奏する。
【発明を実施するための最良の形態】
【００２４】
以下に添付図面を参照して、この発明に係る映像送信装置および映像受信装置の好適な実施の形態を詳細に説明する。
【実施例１】
【００２５】
まず、本実施例に係る映像送信方式および映像受信方式について、従来の方式と比較して説明する。図１０は、従来の映像送信方式および映像受信方式を説明するための説明図である。
【００２６】
同図に示すように、送信元の映像は、従来のテレビ受像機の４画面分の解像度があるものとする。このままの解像度では映像伝送装置の規格外であるため、ネットワークを通じて伝送することができない。そこで、まず、映像の解像度を従来のテレビ受像機程度に下げる変換をおこなう（ステップＳ５０１）。
【００２７】
そして、ネットワークに送出するデータ量を減らすために映像の圧縮をおこなう（ステップＳ５０２）。映像の圧縮には、同一フレーム内のみで圧縮をおこなうフレーム内圧縮と、基準となるフレームとの差分をとって圧縮するフレーム間圧縮とがあるが、ここでは、圧縮率がより高いフレーム間圧縮を利用するものとしている。
【００２８】
圧縮された映像データは、ネットワークを通じて送信される（ステップＳ５０３）。このネットワークは、光ファイバー等を利用したインターネット回線や、専用回線、あるいは、衛星通信回線など様々なものが利用できる。
【００２９】
受信側では、ネットワークを通じて映像データを受信したならば（ステップＳ５０４）、このデータを伸長し（ステップＳ５０５）、復元した映像をテレビ受像機等に出力する。ここで、出力される映像は、ステップＳ５０１で解像度が下げられたものとなる。
【００３０】
このように、従来の方式では、高解像度の映像をそのままの解像度で伝送することはできず、伝送後の映像は、従来のテレビ受像機相当の解像度になってしまう。あるいは、高度な映像圧縮／復元技術を利用して、高解像度の映像を大幅に圧縮して伝送する方式も考えられるが、高度な映像圧縮／復元をおこなうには膨大な計算量が必要となるため、映像の伝送をリアルタイムで実現しようとすると非常に高価な装置が必要となる。
【００３１】
図１は、本実施例に係る映像送信方式および映像受信方式を説明するための説明図である。同図に示すように、この例でも、送信元の映像は、従来のテレビ受像機の４画面分の解像度があるものとする。
【００３２】
送信側では、送信元の映像の各フレームを、従来のテレビ受像機相当の解像度のサブフレームに分割する（ステップＳ１０１）。この例では、各フレームは、４つのサブフレームに分割されることになる。
【００３３】
そして、分割してできたサブフレームを１本の回線で送信できるように直列に並べ替え（ステップＳ１０２）、並べ替えた各サブフレームを圧縮してデータサイズを縮小させる（ステップＳ１０３）。ここでは、分割されたサブフレームが前後に並んでいることになるためにフレーム間圧縮は有効に利用できず、フレーム内圧縮をおこなうことになる。
【００３４】
圧縮されたサブフレームデータは、ネットワークを通じて送信される（ステップＳ１０４）。このネットワークは、従来の方式の場合と同様に、光ファイバー等を利用したインターネット回線や、専用回線、あるいは、衛星通信回線など様々なものが利用できる。
【００３５】
受信側では、ネットワークを通じてサブフレームデータを受信したならば（ステップＳ１０５）、このデータを伸長し（ステップＳ１０６）、サブフレームデータを分割前のフレーム単位でとりまとめて（ステップＳ１０７）、一つのフレームに合成し（ステップＳ１０８）、合成した映像をテレビ受像機等に出力する。ここで、出力される映像は、当初の映像と同じ解像度をもつことになる。
【００３６】
このように、本実施例に係る映像送信方式および映像受信方式では、ネットワーク上を流れるサブフレームデータは、従来のテレビ受像機程度の解像度となるため、伝送プロトコル等の伝送の仕組みを大きく変更することなく、高解像度の映像の伝送に対応することができる。
【００３７】
なお、この方式では、送信側の映像の解像度が高いほどネットワーク上を流れるデータのデータ量が増大することになる。もしも、伝送に用いるネットワークの帯域を十分に確保できない場合は、映像のフレームレートを下げることで対応することができる。例えば、毎秒３０フレームの映像であれば、毎秒８フレームまでフレームレートを下げることにより、データ量を約４分の１に減らすことができる。フレームレートを下げることにより映像の動きが粗くなるが、動きの少ない映像であれば大きな問題とはならない。
【００３８】
次に、本実施例に係る映像送信装置と映像受信装置の構成について説明する。図２は、本実施例に係る映像送信装置の構成を示す機能ブロック図である。同図に示すように、映像送信装置１０は、映像入力部１１と、フレーム分割部１２と、フレーム整列部１３、フレーム圧縮部１４と、映像送信部１５とを有する。
【００３９】
映像入力部１１は、映像送信装置１０に接続された各種の映像出力機器から映像の入力を受け付ける装置である。フレーム分割部１２は、映像入力部１１を通じて入力された映像の各フレームをサブフレームに分割する処理部である。分割後のサブフレームの解像度は、映像送信部１５が送信可能な解像度となる。
【００４０】
図１の例では、フレームを４つのサブフレームに分割する例を示したが、入力された映像の解像度がこの例よりも高い場合には、さらに多くのサブフレームに分割する。このように、サブフレームの分割数を変更することにより、様々な解像度の映像を映像送信装置１０が送信できることになる。
【００４１】
フレーム整列部１３は、フレーム分割部１２のフレーム分割により生成された各サブフレームを１本の回線で送信できるように直列に並び替える処理部である。フレーム整列部１３は、並び替えをおこなう際に、フレームを元通り合成するための付加情報を各サブフレームに埋め込む。
【００４２】
ここで、サブフレームデータの一例を示す。図４は、送受信されるサブフレームデータの一例を示すサンプル図である。この例では、ヘッダ部の一部にフレーム番号が埋め込まれている。このフレーム番号は、フレーム整列部１３により付加されたものであり、分割前のフレームにおけるこのサブフレームの位置を示している。サブフレームを合成する際は、このフレーム番号を手掛かりにして各サブフレームが配置される。
【００４３】
フレーム圧縮部１４は、ネットワーク上を流れるデータ量を小さくするために、各サブフレームを圧縮する処理部である。ここで用いられる圧縮は、フレーム内圧縮であり、例えば、ＪＰＥＧ（Joint Photographic Experts Group）などの圧縮方式を利用することができる。
【００４４】
映像送信部１５は、映像送信装置１０とネットワークを介して接続された映像受信装置２０へサブフレームデータを送信する装置である。映像送信部１５は、送信エラーデータの再送信等の通信制御もおこなう。また、映像送信部１５は、同時に複数の映像受信装置２０に対してサブフレームデータを送信することもできる。
【００４５】
図３は、本実施例に係る映像受信装置の構成を示す機能ブロック図である。同図に示すように、映像受信装置２０は、映像受信部２１と、フレーム伸長部２２と、フレーム整列部２３と、フレーム合成部２４と、映像出力部２５とを有する。
【００４６】
映像受信部２１は、映像受信装置２０とネットワークを介して接続された映像送信装置１０からサブフレームデータを受信する装置である。フレーム伸長部２２は、圧縮されているサブフレームデータを伸長して、圧縮前の状態に復元する処理部である。フレーム整列部２３は、各サブフレームに埋め込まれたフレーム番号等の情報を手掛かりにして、サブフレームの配置をおこなう処理部である。
【００４７】
フレーム合成部２４は、フレーム整列部２３により配置されたサブフレームを合成して、送信元のフレームを再生成する処理部である。合成により生成されたフレームは、映像送信装置１０に入力された映像のフレームと同じ解像度を持つことになる。映像出力部２５は、フレーム合成部２４により合成されたフレームからなる映像を、映像受信装置２０に接続された表示装置等に出力する装置である。
【００４８】
このように、映像送信装置１０は、入力された高解像度映像の各フレームを映像送信部１５が送信可能な解像度のサブフレームに分割して送信する。そして、映像受信装置２０は、受信したサブフレームを合成して高解像度映像を再現して出力する。このような構成をとることにより、映像送信部１５および映像受信部２１の仕様を従来と大きく変更することなく、高解像度の映像を送信することが可能になる。
【００４９】
なお、本実施例では、映像送信装置１０および映像受信装置２０を別個の装置としているが、映像の伝送を双方向でおこなうことができるように、両者を一つの筐体に収めて、一体の装置として構成することもできる。あるいは、各機能ブロックごとに独立した筐体を用意し、これらの筐体を接続して利用する構成とすることもできる。
【００５０】
次に、映像送信装置１０と映像受信装置２０の処理手順について説明する。図５は、図２に示した映像送信装置１０の処理手順を示すフローチャートである。同図に示すように、映像送信装置１０に接続された機器から映像が入力されたならば（ステップＳ２０１）、この映像を構成するフレームを映像送信部１５が送信可能な解像度のサブフレームに分解する（ステップＳ２０２）。
【００５１】
分割によりできたサブフレームを１本の回線で送信するために直列に並べ替え（ステップＳ２０３）、各サブフレームを圧縮してデータサイズを縮小させた後に（ステップＳ２０４）、対向の映像受信装置２０へ送信する（ステップＳ２０５）。
【００５２】
図６は、図３に示した映像受信装置２０の処理手順を示すフローチャートである。同図に示すように、映像送信装置１０から送信されたサブフレームデータを受信したならば（ステップＳ３０１）、各フレームデータを伸長して圧縮を解除する（ステップＳ３０２）。
【００５３】
そして、圧縮を解除された各サブフレームを分割前の位置を考慮して再配置し（ステップＳ３０３）、一つのフレームに合成する（ステップＳ３０４）。こうして再現した送信元の映像を、映像受信装置２０に接続された機器に出力する（ステップＳ３０５）。
【００５４】
上述してきたように、本実施例１では、高解像度の映像を送信側でサブフレームに分割し、分割されたサブフレームをネットワークを通じて送信し、受信側でサブフレームを合成して高解像度の映像を再現するように構成したので、ネットワークの伝送部分の仕組みを従来の仕組みから大きく変更することなく、高解像度の映像を伝送することができる。
【実施例２】
【００５５】
実施例１においては、１本の高解像度の映像を送信する方式について説明したが、この方式を応用することにより、低解像度の映像を複数同時に伝送することができる。実施例２では、複数の映像を同時に伝送する方式について説明することとする。
【００５６】
まず、本実施例に係る映像送信方式および映像受信方式について、簡単に説明する。図７は、本実施例に係る映像送信方式および映像受信方式を説明するための説明図である。
【００５７】
同図に示すように、送信元には４台のカメラが配置されている。これらのカメラは従来のテレビ受像機相当の解像度の映像を出力するものとする。これら４台のカメラの映像を同時に伝送するため、各カメラのフレームを直列に並べ替え（ステップＳ４０１）、並べ替えた各フレームを圧縮してデータサイズを縮小させる（ステップＳ４０２）。ここでは、別のカメラで撮影されたフレームが前後に並んでいることになるためにフレーム間圧縮は有効に利用できず、フレーム内圧縮をおこなうことになる。
【００５８】
圧縮されたフレームデータは、ネットワークを通じて送信される（ステップＳ４０３）。このネットワークは、実施例１の方式の場合と同様に、光ファイバー等を利用したインターネット回線や、専用回線、あるいは、衛星通信回線など様々なものが利用できる。
【００５９】
受信側では、ネットワークを通じてフレームデータを受信したならば（ステップＳ４０４）、このデータを伸長し（ステップＳ４０５）、送信元のカメラ毎のチャネルに振り分けて出力する（ステップＳ４０６）。このように、実施例１で用いたサブフレームの直列化と復元の技術を応用することで、複数の映像を１本の回線で同時に伝送することができる。
【００６０】
次に、本実施例に係る映像送信装置と映像受信装置の構成について説明する。図８は、本実施例に係る映像送信装置の構成を示す機能ブロック図である。同図に示すように、映像送信装置３０は、映像入力部３１と、フレーム整列部３２、フレーム圧縮部３３と、映像送信部３４とを有する。
【００６１】
映像入力部３１は、映像送信装置１０に接続された複数の映像出力機器から映像の入力を受け付ける装置である。フレーム整列部３２は、映像入力部３１から入力された各映像のフレームを１本の回線で送信できるように直列に並び替える処理部である。フレーム圧縮部３３および映像送信部３４は、すでに説明したフレーム圧縮部１４および映像送信部１５にそれぞれ相当する。
【００６２】
図９は、本実施例に係る映像受信装置の構成を示す機能ブロック図である。同図に示すように、映像受信装置４０は、映像受信部４１と、フレーム伸長部４２と、フレーム整列部４３と、映像出力部４４とを有する。
【００６３】
映像受信部４１およびフレーム伸長部４２は、すでに説明した映像受信部２１および映像受信部２１にそれぞれ相当する。フレーム整列部４３は、各フレームに埋め込まれたフレーム番号等の情報を手掛かりにして、フレームを送信元の機器に対応するチャネルに振り分ける処理部である。映像出力部４４は、フレーム整列部４３により振り分けられたフレームからなる映像を映像受信装置４０に接続された表示装置等に出力する装置である。
【００６４】
上述してきたように、本実施例２では、複数の映像ソースからなる映像をフレーム単位で直列化し、直列化したフレームをネットワークを通じて送信し、受信側で映像ソース毎にフレームを振り分けて映像を出力するように構成したので、ネットワークの伝送部分の仕組みを従来の仕組みから大きく変更することなく、複数の映像を同時に伝送することができる。
【００６５】
（付記１）映像機器から入力された映像をネットワークで接続された対向機器へフレーム毎に送信する映像送信装置であって、
映像機器から入力された映像を構成する各フレームを２以上のフレームに分割するフレーム分割手段と、
前記フレーム分割手段により分割された各分割後フレームを直列化するフレーム整列手段と、
前記フレーム整列手段により直列化された分割後フレームを対向機器へ送信する映像送信手段と、
を備えたことを特徴とする映像送信装置。
【００６６】
（付記２）前記フレーム分割手段は、映像機器から入力された映像を構成する各フレームを前記映像送信手段が送信可能な解像度からなる任意の数のフレームに分割することを特徴とする付記１に記載の映像送信装置。
【００６７】
（付記３）前記フレーム分割手段により分割された各分割後フレームをフレーム内圧縮するフレーム圧縮手段をさらに備えたことを特徴とする付記１または２に記載の映像送信装置。
【００６８】
（付記４）前記フレーム整列手段は、分割後フレームを直列化するときに、分割前フレームにおける当該サブフレームの位置を識別する識別情報を分割後フレームに付加することを特徴とする付記１、２または３に記載の映像送信装置。
【００６９】
（付記５）ネットワークで接続された対向機器により分割されたフレームを受信し、映像機器へ映像を出力する映像受信装置であって、
前記対向機器から送信されたフレームを受信する映像受信手段と、
前記映像受信手段が受信した分裂後フレームの配置を直列化した状態から合成が可能な状態に整列するフレーム整列手段と、
前記フレーム整列手段により整列された各分割後フレームを合成し、分割前のフレームを再現するフレーム合成手段と
を備えたことを特徴とする映像受信装置。
【００７０】
（付記６）映像機器から入力された映像をネットワークで接続された対向機器へフレーム毎に送信する映像送信方法であって、
映像機器から入力された映像を構成する各フレームを２以上のフレームに分割するフレーム分割工程と、
前記フレーム分割工程により分割された各分割後フレームを直列化するフレーム整列工程と、
前記フレーム整列工程により直列化された分割後フレームを対向機器へ送信する映像送信工程と、
を含んだことを特徴とする映像送信方法。
【００７１】
（付記７）前記フレーム分割工程は、映像機器から入力された映像を構成する各フレームを前記映像送信工程が送信可能な解像度からなる任意の数のフレームに分割することを特徴とする付記６に記載の映像送信方法。
【００７２】
（付記８）前記フレーム分割工程により分割された各分割後フレームをフレーム内圧縮するフレーム圧縮工程をさらに含んだことを特徴とする付記６または７に記載の映像送信方法。
【００７３】
（付記９）前記フレーム整列工程は、分割後フレームを直列化するときに、分割前フレームにおける当該サブフレームの位置を識別する識別情報を分割後フレームに付加することを特徴とする付記６、７または８に記載の映像送信方法。
【００７４】
（付記１０）ネットワークで接続された対向機器により分割されたフレームを受信し、映像機器へ映像を出力する映像受信方法であって、
前記対向機器から送信されたフレームを受信する映像受信工程と、
前記映像受信工程が受信した分裂後フレームの配置を直列化した状態から合成が可能な状態に整列するフレーム整列工程と、
前記フレーム整列工程により整列された各分割後フレームを合成し、分割前のフレームを再現するフレーム合成工程と
を含んだことを特徴とする映像受信方法。
【産業上の利用可能性】
【００７５】
以上のように、本発明にかかる映像送信装置および映像受信装置は、高解像度の映像のネットワーク伝送に有用であり、特に、伝送部分の仕組みを従来のまま変更しないことが必要な場合に適している。
【図面の簡単な説明】
【００７６】
【図１】本実施例に係る映像送信方式および映像受信方式を説明するための説明図である。
【図２】本実施例に係る映像送信装置の構成を示す機能ブロック図である。
【図３】本実施例に係る映像受信装置の構成を示す機能ブロック図である。
【図４】送受信されるサブフレームデータの一例を示すサンプル図である。
【図５】図２に示した映像送信装置の処理手順を示すフローチャートである。
【図６】図３に示した映像受信装置の処理手順を示すフローチャートである。
【図７】本実施例に係る映像送信方式および映像受信方式を説明するための説明図である。
【図８】本実施例に係る映像送信装置の構成を示す機能ブロック図である。
【図９】本実施例に係る映像受信装置の構成を示す機能ブロック図である。
【図１０】従来の映像送信方式および映像受信方式を説明するための説明図である。
【符号の説明】
【００７７】
１０    映像送信装置
１１    映像入力部
１２    フレーム分割部
１３    フレーム整列部
１４    フレーム圧縮部
１５    映像送信部
２０    映像受信装置
２１    映像受信部
２２    フレーム伸長部
２３    フレーム整列部
２４    フレーム合成部
２５    映像出力部
３０    映像送信装置
３１    映像入力部
３２    フレーム整列部
３３    フレーム圧縮部
３４    映像送信部
４０    映像受信装置
４１    映像受信部
４２    フレーム伸長部
４３    フレーム整列部
４４    映像出力部
【図１】
2006115001.tif 000003
【図２】
2006115001.tif 000004
【図３】
2006115001.tif 000005
【図４】
2006115001.tif 000006
【図５】
2006115001.tif 000007
【図６】
2006115001.tif 000008
【図７】
2006115001.tif 000009
【図８】
2006115001.tif 000010
【図９】
2006115001.tif 000011
【図１０】
2006115001.tif 000012